(57)【要約】      （修正有）【課題】異なる長さの筆頭部を使い筆記したい場合に、ユーザーの需要に合わせてパイプから延出される筆頭部の長さを調整でき、しかも筆頭部の長さが固定されていないため筆記工具を余計に購入する必要がなく、購入コストを削減できるタッチパネル用筆記具を提供する。【解決手段】タッチパネル用筆記具は、孔部１０を有すると共に一端に開口部１１が設けられたパイプ１、孔部１０を貫通する棒体２、パイプ１の開口部１１側の一端に設けられた回転部材３、及び、パイプ１の孔部１０に設置される連動部材を備える。棒体２の筆頭部２０は、回転部材３を貫通して外側に延出している。回転部材３は、連動部材により棒体２を連動させてパイプ１の孔部１０中を軸方向に変移させることによって、回転部材３の外に延出される筆頭部２０の長さを調整する。【選択図】図２
0003185798.tif 000002
【実用新案登録請求の範囲】
【請求項１】
タッチパネルに用いられるタッチ式の筆記具であって、
内部が中空である孔部を形成しており、一端が前記孔部に貫通された開口部を有するパイプと、
一端に導電性の筆頭部が設けられ、前記筆頭部は所定の長さであり且つ可撓性を有する複数の導電性の毛による毛筆から構成され、他端が前記パイプの前記開口部から前記孔部に挿入される棒体と、
前記パイプと同軸に回転自在に設けられ、前記パイプの前記開口部から一端が露出し、前記棒体の前記筆頭部に貫通されて当該筆頭部を外に露出させる回転部材と、
前記パイプの前記孔部に設置され、前記回転部材の回転に前記棒体を連動させて前記パイプの前記孔部中を軸方向に変移させ、前記筆頭部が前記回転部材の外に露出する長さを調整する連動部材と、を備えることを特徴とするタッチパネル用筆記具。
【請求項２】
前記連動部材は、前記パイプの一端に前記開口部に近接して固定されるリング部、及び、前記開口部から前記孔部に挿入されると共に前記リング部に近接する駆動スリーブを備え、
前記リング部は内ねじ山を有し、
前記棒体の径は、外ねじ山が設けられる大径、及び、小径を有し、
前記駆動スリーブは、前記棒体の径に対応する内孔を有し、
前記棒体は、前記駆動スリーブの前記内孔を貫通すると共に前記リング部の前記内ねじ山に自由に回転するように螺設され、
前記回転部材は、中空であり、且つ前記パイプの孔部に延入する伸縮部位を有し、
前記伸縮部位の末端は前記駆動スリーブに連結され、
前記回転部材と前記駆動スリーブとは同調して回転し、前記駆動スリーブと前記棒体とは同調して回転し、前記棒体は前記リング部の前記内ねじ山に引導されることにより前記駆動スリーブ中を軸方向に変移し、
前記伸縮部位の末端は、前記駆動スリーブの外周を包接し、且つ少なくとも１つの切欠き部を設けられ、
前記駆動スリーブには、前記切欠き部において放射状に突起する少なくとも１つの凸部が設けられ、
前記回転部材は、前記切欠き部の周縁が前記凸部に当接することにより前記駆動スリーブを連動させて回転させ、
前記棒体の大径は、対向する両側に位置すると共に外弧面を成し、
前記棒体の小径は、前記外弧面の両側とは異なる位置に位置すると共に平面を成し、
前記駆動スリーブの前記内孔の孔径は、前記棒体の径に対応させ、
前記リング部の外表面は、粗い表面であり、且つ前記パイプの前記孔部の内壁に固定され、
前記パイプの前記孔部の内壁において前記開口部に近接する箇所には、第一凹部が周設され、
前記回転部材の前記伸縮部位の外周には、前記第一凹部の位置に対応する第二凹部が設けられ、
前記第二凹部には多角形を呈するワイヤ部が覆設され、
前記ワイヤ部の各角部は、前記第二凹部の外に露出すると共に前記第一凹部に位置することを特徴とする、請求項１に記載のタッチパネル用筆記具。
【請求項３】
前記連動部材は、リング部及び駆動スリーブを備え、
前記回転部材は、中空であり、且つ前記パイプの孔部に延入する伸縮部位を有し、
前記リング部は、前記孔部の前記開口部に近接して前記パイプの一端に固定され、
前記駆動スリーブは、前記パイプ内に配置される前記回転部材の前記伸縮部位の末端に固定され、
前記リング部は内ねじ山を有し、
前記駆動スリーブは円形を成す内孔を有し、
前記棒体は前記内孔に対応して円形を成すと共に外ねじ山を有し、
前記棒体は、前記駆動スリーブの前記内孔を貫通すると共に前記リング部の前記内ねじ山に自由に回転するように螺設され、
前記棒体の表面において前記駆動スリーブに対応する位置には、前記棒体に沿って軸方向に延伸するスロットが設けられ、
前記駆動スリーブには前記内孔に向けて突出する凸部が設けられ、
前記回転部材と前記駆動スリーブとは同調して回転し、
前記駆動スリーブは、前記凸部が前記スロットに延入すると共に前記スロットの側壁に当接することにより、前記棒体を同調させて回転させ、
前記棒体は、前記リング部の前記内ねじ山に引導されることにより前記駆動スリーブ中を軸方向に変移し、
前記リング部の外表面は、粗い表面であり、且つ前記パイプの孔部の内壁に固定され、
前記駆動スリーブの外表面は、粗い表面であり、且つ前記回転部材の伸縮部位の内壁に固定されることを特徴とする、請求項１に記載のタッチパネル用筆記具。
【考案の詳細な説明】
【技術分野】
【０００１】
本考案は、タッチパネルにおける筆記に用いられるタッチパネル用筆記具に関する。
【背景技術】
【０００２】
図１１に示すような従来のタッチペン９は、主に棒体９０の末端に毛筆で構成される筆頭部が設けられている。ユーザーは棒体９０を手に持ち末端の筆頭部９１をタッチパネル（図示せず）に接触させて筆記を行うことができる。上述の筆記には文字の記入及び図の描画が含まれる。
【考案の概要】
【考案が解決しようとする課題】
【０００３】
しかしながら、前述した従来の技術では、タッチペン９の棒体９０の末端の筆頭部９１は筆記するために必要な長さはあるが、筆頭部９１は棒体９０の末端に結合されているため、その長さは固定されている。よって、筆頭部９１の長さを変えたい場合は、異なる長さの筆頭部９１を有するタッチペンに交換せねばならない。このため、ユーザーは筆頭部９１の長さの異なるタッチペン９を予備として購入せねばならず、高価なタッチペン９はユーザーにとって金銭的な負担が大きく、使用上も不便であった。
【０００４】
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。上記課題解決のため、本考案は、タッチパネル用筆記具を提供することを主目的とする。つまり、異なる長さの筆頭部を使い筆記したい場合に、ユーザーの需要に合わせてパイプから延出される筆頭部の長さを調整できる筆記工具を提供する。本考案によれば、筆頭部の長さが固定されていないため筆記工具を余計に購入する必要がなく、筆記工具の購入コストを削減させると同時により高い利便性を提供する。
【課題を解決するための手段】
【０００６】
上述した課題を解決し、目的を達成するために、本考案に係るタッチパネル用筆記具は、
内部が中空である孔部を形成しており、一端が前記孔部に貫通された開口部を有するパイプと、
一端に導電性の筆頭部が設けられ、前記筆頭部は所定の長さであり且つ可撓性を有する複数の導電性の毛による毛筆から構成され、他端が前記パイプの前記開口部から前記孔部に挿入される棒体と、
前記パイプと同軸に回転自在に設けられ、前記パイプの前記開口部から一端が露出し、前記棒体の前記筆頭部に貫通されて当該筆頭部を外に露出させる回転部材と、
前記パイプの前記孔部に設置され、前記回転部材の回転に前記棒体を連動させて前記パイプの前記孔部中を軸方向に変移させ、前記筆頭部が前記回転部材の外に露出する長さを調整する連動部材と、を備えることを特徴とする。
【図面の簡単な説明】
【０００７】
【図１】本考案の第１実施形態によるタッチパネル用筆記具を説明する斜視図である。
【図２】本考案の第１実施形態によるタッチパネル用筆記具を説明する分解図である。
【図３】本考案の第１実施形態における筆頭の一端を説明する部分断面模式図である。
【図４】ワイヤ部で位置決めを行い、回転部材をパイプに回転自在に設けた断面概略図である。
【図５】回転部材を回転させて筆頭をより露出させる様子を示す概略図である。
【図６】回転部材を回転させて筆頭の露出する長さを短くする様子を示す概略図である。
【図７】本考案の第２実施形態によるタッチパネル用筆記具を説明する分解図である。
【図８】本考案の第２実施形態における筆頭の一端を説明する部分断面模式図である。
【図９】回転部材を回転させて筆頭をより露出させる様子を示す概略図である。
【図１０】回転部材を回転させて筆頭の露出する長さを短くする様子を示す概略図である。
【図１１】従来のタッチペンの概略図である。
【考案を実施するための形態】
【０００８】
以下に図面を参照して、本考案を実施するための形態について詳細に説明する。なお、本考案は、以下に説明する実施形態に限定されるものではない。
（第１実施形態）
本考案の第１実施形態に係るタッチパネル用筆記具の構成を図１から図６に示す。なお、本実施形態はタッチペンであり（図１及び図２参照）、パイプ１、棒体２、回転部材３及び連動部材から構成されている。
【０００９】
図２及び図３に示すように、パイプ１は厚目の銅管を加工して製造され、パイプ１の内部は中空になると共に孔部１０を形成する。パイプ１の一端は孔部１０に貫通される開口部１１を有する。パイプ１の孔部１０の内壁には、開口部１１に近接する箇所に第一凹部１２が周設される。
【００１０】
棒体２は銅材により製造され、棒体２の一端には筆頭部２０が設けられる。筆頭部２０は所定の長さを有し、筆頭部２０は複数の導電性を有する毛による毛筆から構成される。毛筆から構成される筆頭部２０は一般的な球形の筆頭部に比べより繊細なタッチを実現できる。棒体２の他端は、開口部１１からパイプ１の孔部１０に挿入される。棒体２の径は大径及び小径を有し、棒体２の大径は対向する両側に位置すると共に外弧面２１を成し、棒体の小径は外弧面２１とは異なる両側に位置すると共に平面部２２を成す。大径の外弧面２１には外ねじ山２３が設けられる。
【００１１】
回転部材３は銅管である。回転部材３は中空の伸縮部位３０を有し、回転部材３は伸縮部位３０をパイプ１の孔部１０に延入させる。回転部材３の伸縮部位３０の外周には第二凹部３１が周設され、第二凹部３１と第一凹部１２との位置は対応し合う。図４に示すように、多角形を成すワイヤ部３２は第二凹部３１に覆設される。ワイヤ部３２の各角部３２０は、第二凹部３１の外に露出されると共に第一凹部１２に位置する。本実施形態によれば、回転部材３及びパイプ１は同軸に回転自在に設けられ、回転部材３はパイプの開口部１１の一端で軸を中心に回転運動する。回転部材３の一端はパイプ１の開口部１１から露出し、棒体２の筆頭部２０は回転部材３を貫通して回転部材３の外に露出する。パイプ１の開口部１１と回転部材３の一端との間にはプラスチック製リング部３３が設置される。
【００１２】
連動部材は、リング部４及び駆動スリーブ５を備えている。リング部４及び駆動スリーブ５は共に銅材により製造される。筆頭部２０、棒体２、及びパイプ１も含めて全て銅材により製造されるため、筆頭部２０とパイプ１の表面との間は電気的に導通される。
【００１３】
リング部４は、孔部１０の開口部１１に近接してパイプ１の一端に配置される。リング部４の外表面４０は、エンボス加工等が施される粗い表面であり、パイプ１の孔部１０の内壁に緊密に固定される。駆動スリーブ５は、開口部１１から孔部１０に挿入されると共にリング部５に近接して配置される。回転部材３の伸縮部位３０の末端は、駆動スリーブ５の外周を包み込むように接して連結される。伸縮部位３０において駆動スリーブ５の外周に連結される末端の対向する両側には、切欠き部３００がそれぞれ設けられる。各切欠き部３００では、駆動スリーブ５の凸部５０が放射状に突起している。回転部材３は、伸縮部位３０の切欠き部３００の周縁が凸部５０に当接することにより、駆動スリーブ５を連動させて回転させる。よって、回転部材３が回転すると駆動スリーブ５も同調して回転する。
【００１４】
リング部４は内ねじ山４１を有し、駆動スリーブ５は内孔５１を有する。駆動スリーブ５の内孔５１の孔径は棒体２の径に対応している。棒体２は駆動スリーブ５の内孔５１を貫通すると共にリング部４の内ねじ山４１に自由に回転するように螺設される。駆動スリーブ５と棒体２とが同調して回転することにより、棒体２はリング部４の内ねじ山４１に引導されて駆動スリーブ５中を軸方向に変移する。
【００１５】
図３では、回転部材３から露出する筆頭部２０の長さが、筆頭部２０の全体の長さの約半分である。筆頭部２０を更に外に露出させたい場合（図５参照）、回転部材３を回転させると、伸縮部位３０の末端により駆動スリーブ５が連動して回転し、駆動スリーブ５により棒体２が連動し同調して回転し、棒体２が引導されて図５の左側へ軸方向に変移する。このとき筆頭部２０は棒体２の変移に追随するため、回転部材３の外に露出する筆頭部２０の長さがより長くなる。また図６のように、回転部材３から露出する筆頭部２０の長さを短くしたいならば、回転部材３を反対方向に回転させる。すると、駆動スリーブ５により棒体２が連動して同調して回転し、棒体２が引導されて図６の右側へ軸方向に変移する。このとき筆頭部２０は棒体２の変移に追随するため、回転部材３から露出する筆頭部２０の長さが短くなる。
【００１６】
上述したとおりに、パイプ１中でリング部４及び駆動スリーブ５等の連動部材と棒体２とが連結されているため、回転部材３が回転すると棒体２が駆動してパイプ１中を軸方向に変移する。これによって、ユーザーの需要に合わせて筆記に必要な長さになるように、回転部材３から露出する筆頭部２０の長さを調整できる。本実施形態に係るタッチペンによれば、ユーザーは１つのタッチペンを購入するのみで筆頭部２０を異なる長さに調整して筆記できるため、従来のタッチペンのように異なる長さの筆頭部を購入する必要はなく、ユーザーはタッチペンの購入コストを節約できる。
【００１７】
（第２実施形態）
本考案の第２実施形態に係るタッチパネル用筆記具の構成を図７から図１０に示す。本実施形態に係る筆記工具は、主に、パイプ１Ａ、棒体２Ａ、回転部材３Ａ及び連動部材から構成される。
【００１８】
本実施形態では図７と図８を参照しながら、連動部材について説明する。本実施形態に係る連動部材は、リング部４Ａ及び駆動スリーブ５Ａを備えている。回転部材３Ａは、伸縮部位３０Ａを有し、伸縮部位３０Ａは中空を成すと共にパイプ１Ａの孔部１０Ａに延入される。リング部４Ａは、孔部１０Ａの開口部１１Ａに近接して配置され、パイプ１Ａの一端に固定される。本実施形態では、リング部４Ａの外表面４０Ａは粗い構造であり、パイプ１Ａの孔部１０Ａの内壁に緊密に固定される。駆動スリーブ５Ａは、パイプ１Ａ内の回転部材３Ａの伸縮部位３０Ａの末端に固定される。本実施形態による駆動スリーブ５Ａの外表面５２Ａは、粗い表面であり、回転部材３Ａの伸縮部位３０Ａの内壁に緊密に固定される。
【００１９】
本実施形態におけるリング部４Ａは内ねじ山４１Ａを有し、駆動スリーブ５Ａは凸部５０Ａ及び内孔５１Ａを有する。内孔５１Ａは本実施形態では円形を成す。本実施形態では凸部５０Ａは駆動スリーブ５Ａの外部から貫入されて内孔５１Ａに突出している。棒体２Ａは内孔５１Ａに対応して円形を成すと共に外ねじ山２３Ａを有する。本実施形態によれば、ねじ２３０Ａが棒体２Ａの後端に螺接され、棒体２Ａは駆動スリーブ５Ａの内孔５１Ａを貫通し、外ねじ山２３Ａはリング部４Ａの内ねじ山４１Ａに自由に回転するように螺設される。棒体２Ａの表面において駆動スリーブ５Ａに対応する位置にはスロット２４Ａが設けられ、スロット２４Ａは棒体２Ａの軸方向に延伸している。回転部材３Ａと駆動スリーブ５Ａとは同調して回転する。駆動スリーブ５Ａは、凸部５０Ａがスロット２４Ａに延入されると共にスロット２４Ａの側壁に当接することにより、棒体２Ａを同調させて回転させる。棒体２Ａは、リング部４Ａの内ねじ山４１Ａに引導されて駆動スリーブ５Ａ中を軸方向に変移する。
【００２０】
図８では、回転部材３Ａから露出する筆頭部２０Ａの長さが、筆頭部２０Ａ全体の長さの約半分である。筆頭部２０を更に外に露出させる場合（図９参照）、回転部材３Ａを回転させると、伸縮部位３０Ａの末端に固定された駆動スリーブ５Ａの凸部５０Ａがスロット２４Ａに嵌入されているため、駆動スリーブ５Ａが棒体２Ａを連動させ同調させて回転させ、棒体２Ａが引導されて図９の左側へ軸方向に変移する。このとき筆頭部２０Ａは棒体２Ａの変移に追随するため、回転部材３Ａの外に露出する筆頭部２０Ａの長さが更に延長される。また図１０のように、筆頭部２０Ａが回転部材３Ａから露出する長さを短くしたいならば、回転部材３Ａを反対方向に回転させると、駆動スリーブ５Ａが棒体２Ａを連動させて同調させて回転させ、棒体２Ａは引導されて図１０の右側へ軸方向に変移する。このとき筆頭部２０Ａは棒体２Ａの変移に追随するため回転部材３Ａから露出する筆頭部２０Ａの長さが短くなる。これにより、第一実施形態と同様の効果が達成される。
【００２１】
以上、本考案の実施形態について図面を参照して詳述したが、具体的な構成はこの実施形態に限られるものではなく、本考案の要旨を逸脱しない範囲の設計変更等も含まれる。
【符号の説明】
【００２２】
９・・・タッチペン
９０・・・棒体
９１・・・筆頭部
１・・・パイプ
１０・・・孔部
１１・・・開口部
１２・・・第一凹部
２・・・棒体
２０・・・筆頭部
２１・・・外弧面
２２・・・平面部
２３・・・外ねじ山
３・・・回転部材
３０・・・伸縮部位
３００・・・切欠き部
３１・・・第二凹部
３２・・・ワイヤ部
３２０・・・角部
３３・・・プラスチック製リング部
４・・・リング部
４０・・・外表面
４１・・・内ねじ山
５・・・駆動スリーブ
５０・・・凸部
５１・・・内孔
１Ａ・・・パイプ
１０Ａ・・・孔部
１１Ａ・・・開口部
２Ａ・・・棒体
２０Ａ・・・筆頭部
２３Ａ・・・外ねじ山
２３０Ａ・・・ねじ
２４Ａ・・・スロット
３Ａ・・・回転部材
３０Ａ・・・伸縮部位
４Ａ・・・リング部
４０Ａ・・・外表面
４１Ａ・・・内ねじ山
５Ａ・・・駆動スリーブ
５０Ａ・・・凸部
５１Ａ・・・内孔
５２Ａ・・・外表面
【図１】
0003185798.tif 000003
【図２】
0003185798.tif 000004
【図３】
0003185798.tif 000005
【図４】
0003185798.tif 000006
【図５】
0003185798.tif 000007
【図６】
0003185798.tif 000008
【図７】
0003185798.tif 000009
【図８】
0003185798.tif 000010
【図９】
0003185798.tif 000011
【図１０】
0003185798.tif 000012
【図１１】
0003185798.tif 000013